(57)【特許請求の範囲】
【請求項１】
複数の空気調和機を備える空調システムを監視制御するために用いられる監視制御システムであって、
前記空調システムと通信可能な通信端末と、
前記通信端末と通信可能なサーバと、
を備え、
前記通信端末は、
前記複数の空気調和機との間の通信を実行し、前記複数の空気調和機のそれぞれから前記複数の空気調和機のそれぞれの識別情報および機種情報を含む構成情報を受信する第１通信部と、
前記サーバとの間の通信を実行し、前記構成情報を前記サーバへ送信し、前記サーバから試運転の手順を示す情報である試運転シーケンスを受信する第２通信部と、
前記試運転シーケンスに基づいて前記複数の空気調和機に前記第１通信部を介してコマンドを送信するシーケンス実行部と、
を備え、
前記サーバは、
前記通信端末との間の通信を実行し、前記通信端末から前記構成情報を受信し、前記試運転シーケンスを前記通信端末へ送信する第３通信部と、
前記構成情報に基づいて前記試運転シーケンスを生成する生成部と、
を備え、
前記第１通信部は、前記コマンドの実行により得られたデータである試運転データを受信し、
前記シーケンス実行部は、前記試運転データを、前記第２通信部を介して前記サーバへ送信し、
前記サーバは、
前記試運転データの項目ごとに異常であるか否かを示す試運転結果を生成し、異常があると判定した場合、前記項目ごとにあらかじめ定められた異常の要因の候補を示す情報と、異常と判定された前記項目とに基づいて、前記試運転結果に含める前記異常の要因の候補を示す情報を決定し、決定した前記異常の要因の候補を示す情報を前記試運転結果に含める解析部、
を備え、
前記第３通信部は、前記試運転結果を前記通信端末へ送信する監視制御システム。
【請求項２】
前記通信端末は、
前記構成情報を圧縮する圧縮部、
を備え、
前記第２通信部は、圧縮された前記構成情報を前記サーバへ送信し、
前記サーバは、
圧縮された前記構成情報を伸長する伸長部、
を備える請求項１に記載の監視制御システム。
【請求項３】
前記サーバは、
前記試運転シーケンスを圧縮する圧縮部、
を備え、
前記第３通信部は、圧縮された前記試運転シーケンスを前記通信端末へ送信し、
前記通信端末は、
圧縮された前記試運転シーケンスを伸長する伸長部、
を備える請求項１または２に記載の監視制御システム。
【請求項４】
前記通信端末は、
前記試運転結果を表示する表示部、
を備える請求項１から３のいずれか１つに記載の監視制御システム。
【請求項５】
前記構成情報は、前記空気調和機が属するグループを示すグループ情報を含み、
同一の前記グループに属する前記空気調和機は、試運転において、運転状態が同一となるよう設定される請求項１から４のいずれか１つに記載の監視制御システム。
【請求項６】
複数の空気調和機を備える空調システムと、
前記空調システムと通信可能な通信端末と、
前記通信端末と通信可能なサーバと、
を備え、
前記通信端末は、
前記複数の空気調和機との間の通信を実行し、前記複数の空気調和機のそれぞれから前記複数の空気調和機のそれぞれの識別情報および機種情報を含む構成情報を受信する第１通信部と、
前記サーバとの間の通信を実行し、前記構成情報を前記サーバへ送信し、前記サーバから試運転の手順を示す情報である試運転シーケンスを受信する第２通信部と、
前記試運転シーケンスに基づいて前記複数の空気調和機に前記第１通信部を介してコマンドを送信するシーケンス実行部と、
を備え、
前記サーバは、
前記通信端末との間の通信を実行し、前記通信端末から前記構成情報を受信し、前記試運転シーケンスを前記通信端末へ送信する第３通信部と、
前記構成情報に基づいて前記試運転シーケンスを生成する生成部と、
を備え、
前記第１通信部は、前記コマンドの実行により得られたデータである試運転データを受信し、
前記シーケンス実行部は、前記試運転データを、前記第２通信部を介して前記サーバへ送信し、
前記サーバは、
前記試運転データの項目ごとに異常であるか否かを示す試運転結果を生成し、異常があると判定した場合、前記項目ごとにあらかじめ定められた異常の要因の候補を示す情報と、異常と判定された前記項目とに基づいて、前記試運転結果に含める前記異常の要因の候補を示す情報を決定し、決定した前記異常の要因の候補を示す情報を前記試運転結果に含める解析部、
を備え、
前記第３通信部は、前記試運転結果を前記通信端末へ送信する空調監視システム。
【請求項７】
複数の空気調和機を備える空調システムを監視制御するために用いられる空調監視方法であって、
通信端末が、前記複数の空気調和機のそれぞれから前記複数の空気調和機のそれぞれの識別情報および機種情報を含む構成情報を受信する第１のステップと、
前記通信端末が、前記構成情報をサーバへ送信する第２のステップと、
前記サーバが、通信端末から前記構成情報を受信する第３のステップと、
前記サーバが、前記構成情報に基づいて試運転シーケンスを生成する第４のステップと、
前記サーバが、前記試運転シーケンスを前記通信端末へ送信する第５のステップと、
前記通信端末が、前記試運転シーケンスに基づいて前記複数の空気調和機にコマンドを送信する第６のステップと、
前記通信端末が、前記コマンドの実行により得られたデータである試運転データを前記サーバへ送信する第７のステップと、
前記サーバが、前記試運転データの項目ごとに異常であるか否かを示す試運転結果を生成し、異常があると判定した場合、前記項目ごとにあらかじめ定められた異常の要因の候補を示す情報と、異常と判定された前記項目とに基づいて、前記試運転結果に含める前記異常の要因の候補を示す情報を決定し、決定した前記異常の要因の候補を示す情報を前記試運転結果に含める第８のステップと、
前記サーバが、前記試運転結果を前記通信端末へ送信する第９のステップと、
を含む空調監視方法。
【発明の詳細な説明】
【技術分野】
【０００１】
本発明は、複数の空気調和機で構成される空調システムを備え、該空調システムを監視する監視制御システム、空調監視システムおよび空調監視方法に関する。
【背景技術】
【０００２】
一般に、空調システムでは、試運転が行われる。試運転では、適切な品質の検査が効率的に実施されることが望ましいが、作業員の経験不足などにより適切な検査が行われないことも考えられる。特許文献１には、空調システムの試運転に異常がない場合に限りリモートコントローラによる制御を可能とする技術が開示されている。特許文献１に記載の技術は、上記の制御により、試運転に異常があるにも関わらずリモートコントローラからの制御を許可して顧客に引き渡してしまうという事態を低減することができる。
【先行技術文献】
【特許文献】
【０００３】
【特許文献１】特開２０１１−１４１０８１号公報
【発明の概要】
【発明が解決しようとする課題】
【０００４】
上述したように、試運転では、適切な品質の検査をできるだけ少ない工数で実施されることが望ましい。特に、空調システムに、複数の空気調和機が含まれる場合には、空調システムには様々な構成が考えられ、実際の空調システムの構成が複雑になることもあり、作業者が空調システムの構成に関する情報を収集するために工数を要し、また、収集した情報に基づいて試運転の計画を策定するためにも工数を要する。【０００５】
上記特許文献１に記載には、適切な品質の検査が行われない場合の対策については開示されているが、試運転において適切な品質の検査を効率的に行うことについては、開示されていない。【０００６】
本発明は、上記に鑑みてなされたものであって、試運転において適切な品質の検査を効率的に行うことができる監視制御システムを得ることを目的とする。
【課題を解決するための手段】
【０００７】
上述した課題を解決し、目的を達成するために、本発明は、複数の空気調和機を備える空調システムを監視制御するために用いられる監視制御システムであって、空調システムと通信可能な通信端末と、通信端末と通信可能なサーバと、を備える。通信端末は、複数の空気調和機との間の通信を実行し、複数の空気調和機のそれぞれから複数の空気調和機のそれぞれの識別情報および機種情報を含む構成情報を受信する第１通信部と、サーバとの間の通信を実行し、構成情報をサーバへ送信し、サーバから試運転の手順を示す情報である試運転シーケンスを受信する第２通信部と、を備える。また、通信端末は、試運転シーケンスに基づいて複数の空気調和機に第１通信部を介してコマンドを送信するシーケンス実行部、を備える。サーバは、通信端末との間の通信を実行し、通信端末から構成情報を受信し、試運転シーケンスを通信端末へ送信する第３通信部と、構成情報に基づいて試運転シーケンスを生成する生成部と、を備える。第１通信部は、コマンドの実行により得られたデータである試運転データを受信し、シーケンス実行部は、試運転データを、第２通信部を介してサーバへ送信し、サーバは、試運転データの項目ごとに異常であるか否かを示す試運転結果を生成し、異常があると判定した場合、項目ごとにあらかじめ定められた異常の要因の候補を示す情報と、異常と判定された項目とに基づいて、試運転結果に含める異常の要因の候補を示す情報を決定し、決定した異常の要因の候補を示す情報を試運転結果に含める解析部、を備え、第３通信部は、試運転結果を通信端末へ送信する。
【発明の効果】
【０００８】
本発明にかかる監視制御システムは、試運転において適切な品質の検査を効率的に行うことができるという効果を奏する。
【図面の簡単な説明】
【０００９】
【図１】本発明の実施の形態にかかる空調監視システムの構成例を示す図
【図２】実施の形態の空調監視システムにおける構成情報収集処理手順の一例を示すフローチャート
【図３】実施の形態の試運転実行処理手順の一例を示すフローチャート
【図４】試運転シーケンスを生成するためのシーケンス生成アルゴリズムの一例と試運転シーケンスの一例を示す図
【図５】実施の形態の試運転データ解析処理手順の一例を示すフローチャート
【図６】実施の形態の制御回路の構成例を示す図
【発明を実施するための形態】
【００１０】
以下に、本発明の実施の形態にかかる監視制御システム、空調監視システムおよび空調監視方法を図面に基づいて詳細に説明する。なお、この実施の形態によりこの発明が限定されるものではない。
【００１１】
実施の形態．
図１は、本発明の実施の形態にかかる空調監視システムの構成例を示す図である。図１に示すように、本実施の形態の空調監視システム１００は、空調システム１、通信端末２およびサーバ３を備える。空調システム１は、複数の空気調和機である空気調和機４−１〜４−ｎを備える。なお、以下、図においては、空気調和機を空調機と略す。ｎは２以上の整数である。空気調和機４−１〜４−ｎは、それぞれが室外機、室内機、リモートコントローラ（以下リモコンと略す）といった装置のうちの１つである。なお、図１では、通信端末２およびサーバ３を１台ずつ図示しているが、通信端末２およびサーバ３は、それぞれ１台以上であればよい。また、通信端末２およびサーバ３は、空調システム１を監視制御するために用いられる監視制御システム１０１を構成する。通信端末２は、空調システム１と通信可能であり、サーバ３は、通信端末２と通信可能である。
【００１２】
空気調和機４−１〜４−ｎは、それぞれ構成情報記憶部４１および空調ネットワーク接続部４２を備える。なお、空気調和機４−１〜４−ｎは、図１で図示した構成要素以外に空気調和制御のための構成要素を備えるが、空気調和制御のための構成要素は、一般的な空気調和機と同一であり、図示および説明を省略する。空気調和制御のため構成要素とは、例えば、温度センサおよび冷媒圧力センサといった各種センサ、モータおよび膨張弁といったアクチュエータである。空気調和機４−１〜４−ｎは、空調ネットワーク５に接続可能である。空調ネットワーク５は、有線ネットワークであってもよいし、無線ネットワークであってもよいし、一部が無線で一部が有線のネットワークであってもよい。空調ネットワークに接続する装置間では、あらかじめ定められたプトロコル（以降、空調ネットワークプトロコルと呼ぶ）に従って通信が行われる。
【００１３】
各空気調和機４−１〜４−ｎの構成情報記憶部４１には、それぞれの空気調和機に対応する構成情報が記憶される。構成情報は、機種情報、アドレスおよびグループ情報を含む。機種情報は、室外機、室内機、リモコンといった機種の名称を示す情報である。アドレスは、空調ネットワーク内で割り振られたネットワークアドレスを示す識別情報であり、数値または文字列、または数値および文字列の組み合わせである。グループ情報は、各空気調和機が属するグループを示す情報であり、数値または文字列、または数値および文字列の組み合わせである。すなわち、構成情報は、空気調和機４−１〜４−ｎのそれぞれの識別情報および機種情報を含む。本実施の形態の空調システム１では、空気調和機４−１〜４−ｎは、グループ分けされており、同一グループに属する空気調和機は、同時に動作し、同時に停止する。すなわち、同一のグループに属する空気調和機４−１〜４−ｎは、試運転において、運転状態が同一となるよう設定される。また、構成情報に、さらに機種コードが含まれていてもよく、または機種情報の替わりに機種コードが含まれていてもよい。機種コードは、機種を示す情報であり、数値または文字列、または数値および文字列の組み合わせである。なお、ここでは、構成情報にグループ情報が含まれる例を説明するが、構成情報にグループ情報が含まれていなくてもよい。
【００１４】
空調ネットワーク接続部４２は、空調ネットワークプトロコルに従って、空調ネットワークを介して他の空気調和機または空調ネットワーク５に接続される装置との間で通信を行う。
【００１５】
通信端末２は、記憶部２１、空調ネットワーク接続部２２、シーケンス実行部２３、入力部２４、表示部２５、データ圧縮／伸長部２６および広域ネットワーク接続部２７を備える。通信端末２は、空調ネットワーク５および広域ネットワーク６に接続可能である。空調ネットワーク接続部２２は、空調ネットワーク５に接続し、空調ネットワークプトロコルに従って通信を行う。空調ネットワーク接続部２２は、空気調和機４−１〜４−ｎとの間の通信を実行し、空気調和機４−１〜４−ｎのそれぞれから空気調和機４−１〜４−ｎのそれぞれの構成情報を受信する第１通信部である。
【００１６】
データ圧縮／伸長部２６は、データの圧縮、および圧縮されたデータの伸長を行う。具体的には、データ圧縮／伸長部２６は、後述するように構成情報を圧縮する圧縮部であり、圧縮された試運転シーケンスを伸長する伸長部でもある。広域ネットワーク接続部２７は、広域ネットワーク６におけるプトロコルに従って通信を行う。広域ネットワーク接続部２７は、サーバ３との間の通信を実行し、構成情報をサーバ３へ送信し、サーバ３から試運転の手順を示す情報である試運転シーケンスを受信する第２通信部である。
【００１７】
記憶部２１は、各空気調和機４−１〜４−ｎごとの構成情報を収集するためのシーケンス（以降、構成情報収集シーケンスと呼ぶ）を記憶する。構成情報収集シーケンスは、あらかじめ設定されるが、変更可能であってもよい。例えば、通信端末２の入力部２４が構成情報収集シーケンスの入力を受け付け、記憶部２１が、該構成情報収集シーケンスを記憶する。または、通信端末２は、広域ネットワーク６を介して、構成情報収集シーケンスを受信して、受信した構成情報収集シーケンスを記憶部２１に記憶させてもよい。記憶部２１に構成情報収集シーケンスを記憶させるための具体的手順および構成情報収集シーケンスの更新の具体的手順については特に制約はなく、上述した例以外の任意の方法を用いることができる。
【００１８】
構成情報収集シーケンスには、コマンド、宛先アドレスおよび送信時刻情報が含まれる。コマンドは、空調ネットワークプロトコルに則ったコマンドであり、各空気調和機の運転開始および停止、各空気調和機からの各種データの取得といった動作を指示する要求である。宛先アドレスは、コマンドを送る宛先の空気調和機のアドレスである。送信時刻情報は、コマンドを送る時刻を示す情報である。構成情報収集シーケンスには、例えば、実行される順にコマンドが記載され、各コマンドに対応づけられて宛先アドレスおよび送信時刻情報が記載される。
【００１９】
シーケンス実行部２３は、記憶部２１に記憶されている構成情報収集シーケンスを読み出し、構成情報収集シーケンスを実行する。また、シーケンス実行部２３は、試運転シーケンスに基づいて空気調和機４−１〜４−ｎに空調ネットワーク接続部２２を介してコマンドを送信する。なお、通信端末２にとって、試運転シーケンスを実行するとは、試運転シーケンスに記載された各コマンドを試運転シーケンスにより定められた宛先および送信タイミングで空気調和機４−１〜４−ｎに送信することに相当する。なお、通信端末２は、空調システム１における空気調和機４−１〜４−ｎのいずれかに含まれていてもよいし、空調システム１とは独立した装置であってもよく、スマートフォンまたはタブレットといった汎用的な端末であってもよい。
【００２０】
サーバ３は、広域ネットワーク接続部３１、データ圧縮／伸長部３２、記憶部３３、試運転シーケンス生成部３４および試運転データ解析部３５を備える。広域ネットワーク接続部３１は、通信端末２との間の通信を実行し、通信端末２から構成情報を受信し、試運転シーケンスを通信端末へ送信する第３通信部である。広域ネットワーク接続部３１は、広域ネットワーク６におけるプトロコルに従って通信を行う。データ圧縮／伸長部３２は、データの圧縮および圧縮されたデータの伸長を行う。具体的には、データ圧縮／伸長部３２は、後述するように、圧縮された構成情報を伸長する伸長部であり、試運転シーケンスを圧縮する圧縮部でもある。
【００２１】
記憶部３３は、空気調和機４−１〜４−ｎごとの構成情報と試運転の結果すなわちコマンドの実行により得られたデータである試運転データとを記憶する。試運転データは、センサ値、アクチュエータ値および運転状態値を含む。センサ値は、温度センサおよび冷媒圧力センサといった空気調和機４−１〜４−ｎが有する各種センサによる計測値である。アクチュエータ値は、膨張弁の弁開度、モータの回転数といった空気調和機４−１〜４−ｎが有する各種アクチュエータの状態を示す情報である。運転状態値は、冷房中、停止中といった各空気調和機４−１〜４−ｎの運転状態を示す数値ないし文字列である。
【００２２】
試運転シーケンス生成部３４は、記憶部３３に記憶されている構成情報に基づいて、試運転を実施するためのシーケンスである試運転シーケンスを生成する。すなわち、試運転シーケンス生成部３４は、構成情報に基づいて試運転シーケンスを生成する生成部である。試運転シーケンスの生成方法については後述する。試運転データ解析部３５は、記憶部３３に記憶されている試運転データを解析する解析部である。
【００２３】
次に、本実施の形態の動作について説明する。まず、構成情報収集処理について説明する。図２は、本実施の形態の空調監視システムにおける構成情報収集処理手順の一例を示すフローチャートである。まず、通信端末２は、入力部２４により作業者からの構成情報収集の指示を受け付ける（ステップＳ１）。入力部２４は、作業者からの構成情報収集の指示を受け付けると、シーケンス実行部２３へ構成情報収集の指示が入力されたことを通知する。
【００２４】
シーケンス実行部２３は、構成情報収集の指示が入力されたことを通知されると、記憶部２１に記憶されている構成情報収集シーケンスを読み出し、構成情報収集シーケンスの実行を開始する（ステップＳ２）。
【００２５】
シーケンス実行部２３は、構成情報収集シーケンスにより規定されたコマンドを全て送信したか否かを判断する（ステップＳ３）。構成情報収集シーケンスにより規定されたコマンドを全て送信していない場合（ステップＳ３  Ｎｏ）、シーケンス実行部２３は、構成情報収集シーケンスにより規定されているコマンドのうち送信していないコマンドの送信時刻になったか否かを判断する（ステップＳ４）。送信時刻になった場合（ステップ４  Ｙｅｓ）、シーケンス実行部２３は、該送信時刻に対応するコマンドを宛先アドレスへ送信し（ステップＳ５）、該コマンドに対応する応答を受信する（ステップＳ６）と、ステップＳ３へ戻る。ステップＳ６で受信する応答には、該コマンドを受信した各空気調和機４−１〜４−ｎの構成情報が含まれる。
【００２６】
ステップＳ５では、具体的には、シーケンス実行部２３は、該送信時刻に対応するコマンドを、該コマンドに対応する宛先アドレス宛に送信するよう空調ネットワーク接続部２２へ指示し、空調ネットワーク接続部２２が指示に従って、コマンドを送信する。また、ステップＳ６では、シーケンス実行部２３は、空調ネットワーク接続部２２を介して各空気調和機４−１〜４−ｎからの応答を受信する。なお、通信端末２では、空気調和機４−１〜４−ｎから、構成情報を含む応答を受信すると、表示部２５が、構成情報を表示してもよい。
【００２７】
ステップＳ４で、送信時刻になっていないと判断した場合（ステップ４  Ｎｏ）、シーケンス実行部２３は、ステップＳ４を繰り返す。ステップＳ３で、構成情報収集シーケンスにより規定されたコマンドを全て送信したと判断した場合（ステップＳ３  Ｙｅｓ）、シーケンス実行部２３は、構成情報の圧縮をデータ圧縮／伸長部２６へ指示し、データ圧縮／伸長部２６は、構成情報を圧縮する（ステップＳ７）。
【００２８】
次に、データ圧縮／伸長部２６は、圧縮した構成情報を、広域ネットワーク接続部２７を介してサーバ３へ送信する（ステップＳ８）。サーバ３は、広域ネットワーク６を介して、圧縮された構成情報を受信すると、圧縮された構成情報を伸長して記憶部３３へ格納する（ステップＳ９）。具体的には、サーバ３のデータ圧縮／伸長部３２は、広域ネットワーク接続部３１を介して圧縮された構成情報を受信すると、圧縮された構成情報を伸長し、伸長した構成情報を記憶部３３へ格納する。以上により、構成情報収集処理が終了する。なお、以上の説明では、通信端末２が構成情報を圧縮して、サーバ３へ送信するようにしたが、これに限定されず、通信端末２が構成情報を圧縮せずにサーバ３へ送信してもよい。
【００２９】
次に、本実施の形態の試運転実行処理について説明する。図３は、本実施の形態の試運転実行処理手順の一例を示すフローチャートである。まず、通信端末２は、入力部２４により作業者からの試運転の開始の指示を受け付ける（ステップＳ１１）。入力部２４は、作業者からの試運転の開始の指示を受け付けると、シーケンス実行部２３へ試運転の開始の指示が入力されたことを通知する。
【００３０】
シーケンス実行部２３は、試運転の開始の指示が入力されたことを通知されると、試運転シーケンスの生成をサーバに依頼する（ステップＳ１２）。具体的には、シーケンス実行部２３は、試運転シーケンスの生成を依頼する依頼情報を生成して、広域ネットワーク接続部２７を介してサーバ３へ送信する。
【００３１】
サーバ３の試運転シーケンス生成部３４は、広域ネットワーク接続部３１を介して、依頼情報を受信すると、記憶部３３に記憶されている構成情報とあらかじめ定められたアルゴリズムであるシーケンス生成アルゴリズムとに基づいて、試運転シーケンスを生成する（ステップＳ１３）。試運転シーケンスは、コマンドと、該コマンドに対応する宛先アドレスと、該コマンドに対応する送信時刻を示す情報である送信時刻情報とを含む。
【００３２】
図４は、試運転シーケンスを生成するためのシーケンス生成アルゴリズムの一例と試運転シーケンスの一例を示す図である。図４に示した例では、構成情報において、アドレス「１」は、機種情報が「室外機」であり、グループ情報が「１」であり、アドレス「２」およびアドレス「３」は、機種情報が室内機であり、グループ情報が「１」であることが規定されている。さらに、図４に示した例では、構成情報において、アドレス「４」は、機種情報が「室外機」であり、グループ情報が「２」であり、アドレス「５」およびアドレス「６」は、機種情報が室内機であり、グループ情報が「２」であることが規定されている。
【００３３】
また、図４に示した例では、シーケンス生成アルゴリズムは、同グループ内のすなわち属するグループが同一の室内機は、１つずつ、５分ずつ運転するという条件と、異なるグループは並列で運転してよいという条件との２つで構成される。構成情報とこれらの条件とに基づいて、図４の最下段に示すように、送信時刻００：００（０分０秒）に宛先アドレス「２」および宛先アドレス「５」へ運転のコマンドを送信し、送信時刻０５：００に宛先アドレス「２」および宛先アドレス「５」へ停止のコマンドを送信し、送信時刻０５：００に宛先アドレス「３」および宛先アドレス「６」へ運転のコマンドを送信し、送信時刻１０：００に宛先アドレス「３」および宛先アドレス「６」へ停止のコマンドを送信するといった試運転シーケンスが生成される。ここでは、送信時刻は、試運転の開始時刻を００：００とした場合の相対時刻で示している。なお、図４の例では、シーケンス生成アルゴリズムを満たす試運転シーケンスの候補は複数考えられるが、複数の候補の中からどれを試運転シーケンスとするかは任意の方法により決定される。例えば、まず、全てのグループについて、各グループ１つずつの室内機を同時に運転させ、かつアドレスの若い順に運転を行うなどの条件を定めておく。
【００３４】
図３の説明に戻り、次に、サーバ３のデータ圧縮／伸長部３２は、試運転シーケンスを圧縮して、通信端末２へ送信する（ステップＳ１４）。具体的には、データ圧縮／伸長部３２は、試運転シーケンス生成部３４から試運転シーケンスを受け取り、試運転シーケンスを圧縮し、圧縮した試運転シーケンスを広域ネットワーク接続部３１経由で通信端末２へ送信する。
【００３５】
次に、通信端末２は、サーバ３から受信した圧縮された試運転シーケンスを伸長して、伸長した試運転シーケンスの実行を開始する（ステップＳ１５）。具体的には、データ圧縮／伸長部２６は、広域ネットワーク接続部２７を介して、受信した圧縮された試運転シーケンスを伸長し、伸長した試運転シーケンスをシーケンス実行部２３へ渡す。
【００３６】
シーケンス実行部２３は、試運転シーケンスにより規定されたコマンドを全て送信したか否かを判断する（ステップＳ１６）。試運転シーケンスにより規定されたコマンドを全て送信していない場合（ステップＳ１６  Ｎｏ）、シーケンス実行部２３は、試運転シーケンスにより規定されているコマンドのうち送信していないコマンドの送信時刻になったか否かを判断する（ステップＳ１７）。送信時刻になった場合（ステップ１７  Ｙｅｓ）、シーケンス実行部２３は、該送信時刻に対応するコマンドを宛先アドレスへ送信し（ステップＳ１８）、該コマンドに対応する応答を受信する（ステップＳ１９）と、ステップＳ１６へ戻る。ステップＳ１９で受信する応答には、該コマンドを受信した各空気調和機４−１〜４−ｎにおいて取得された試運転データが含まれる。なお、通信端末２では、空気調和機４−１〜４−ｎから試運転データを含む応答を受信すると、表示部２５が、試運転データを表示してもよい。
【００３７】
ステップＳ１７で、送信時刻になっていないと判断した場合（ステップ１７  Ｎｏ）、シーケンス実行部２３は、ステップＳ１７を繰り返す。ステップＳ１６で、試運転シーケンスにより規定されたコマンドを全て送信したと判断した場合（ステップＳ１６  Ｙｅｓ）、シーケンス実行部２３は、試運転データを圧縮して、サーバ３へ送信する（ステップＳ２０）。具体的には、シーケンス実行部２３は、試運転データの圧縮をデータ圧縮／伸長部２６へ指示し、データ圧縮／伸長部２６は、試運転データを圧縮し、広域ネットワーク接続部２７へ出力する。広域ネットワーク接続部２７は、圧縮された試運転データをサーバ３へ送信する。
【００３８】
サーバ３は、広域ネットワーク６を介して、圧縮された試運転データを受信すると、圧縮された試運転データを伸長して記憶部３３へ格納する（ステップＳ２１）。具体的には、サーバ３のデータ圧縮／伸長部３２は、広域ネットワーク接続部３１を介して圧縮された試運転データを受信すると、圧縮された試運転データを伸長し、伸長した試運転データを記憶部３３へ格納する。以上により、試運転実行処理が終了する。なお、以上の説明では、サーバ３が通信端末２へ試運転シーケンスを圧縮して送信するようにしたが、これに限定されず、サーバ３が通信端末２へ試運転シーケンスを圧縮せずに送信してもよい。また、以上の説明では、通信端末２が試運転データを圧縮して、サーバ３へ送信するようにしたが、これに限定されず、通信端末２が試運転データを圧縮せずにサーバ３へ送信してもよい。
【００３９】
次に、本実施の形態の試運転データ解析処理について説明する。図５は、本実施の形態の試運転データ解析処理手順の一例を示すフローチャートである。試運転データ解析処理は、記憶部３３に試運転データが記憶された後の任意のタイミングで開始することができる。例えば、図３に示した試運転実行処理の終了後に自動的に実施する。まず、サーバ３の試験運転データ解析部３５は、記憶部３３に記憶されている試運転データとあらかじめ定められたアルゴリズムである解析アルゴリズムに基づいて、試運転データを解析し、解析結果である試運転結果を生成する（ステップＳ３１）。試験運転データ解析部３５は、試運転結果をデータ圧縮／伸長部３２へ出力する。
【００４０】
解析アルゴリズムとして、どのようなアルゴリズムが用いられてもよいが、例えば、試運転データの項目ごとに正常な範囲をあらかじめ定めておき、正常な範囲を記憶部３３に記憶させておく。そして、試験運転データ解析部３５は、項目ごとに試運転データの値が正常な範囲であるか否かを判断し、判断結果を試運転結果とする。例えば、試運転における空調制御の設定温度などはあらかじめ定められているとし、試運転データの項目が温度センサにより計測された値であるセンサ値の場合、正常な範囲をＸ℃以上Ｙ℃以下（Ｘ＜Ｙ）と定めておく。試験運転データ解析部３５は、試運転データのうち温度センサにより計測された値が、正常な範囲であるか否かを判断し、判断結果を試運転結果とする。この場合、試運転結果は、項目ごとの正常か否かの判断結果（例えばＯＫまたはＦａｉｌ）を含む。また、判断結果が正常でないすなわち異常という結果であった場合、試運転結果として、異常の要因の候補を示す情報を含めるようにしてもよい。異常の要因の候補を示す情報は、項目ごとにあらかじめ定めておく。異常の要因の候補を示す情報を試運転結果に含めておくことで、後述するステップＳ３３へ通信端末２に異常の要因の候補を示す情報を表示することができ、作業者は通信端末２に表示された情報をもとに速やかに異常に対する復旧作業を行うことができる。
【００４１】
試験運転データ解析部３５は、試運転結果を圧縮し、広域ネットワーク接続部３１を介して通信端末２へ送信する（ステップＳ３２）。通信端末２は、圧縮された試運転結果を受信すると、圧縮された試運転結果を伸長して、表示部２５へ表示する（ステップＳ３３）。具体的には、通信端末２のデータ圧縮／伸長部２６は、広域ネットワーク接続部２７を介して圧縮された試運転結果を受信すると、圧縮された試運転結果を伸長し、表示部２５へ出力する。表示部２５は、試運転結果を表示する。
【００４２】
次に、本実施の形態の空調システムのハードウェア構成について説明する。空調ネットワーク接続部４２、空調ネットワーク接続部２２、広域ネットワーク接続部２７および広域ネットワーク接続部３１は、受信機および送信機である。構成情報記憶部４１、記憶部２１および記憶部３３は、メモリである。ここで、メモリは、例えば、ＲＡＭ（Random  Access  Memory）、ＲＯＭ（Read  Only  Memory）、フラッシュメモリー、ＥＰＲＯＭ（Erasable  Programmable  Read  Only  Memory）、ＥＥＰＲＯＭ（Electrically  Erasable  Programmable  Read  Only  Memory）等の、不揮発性または揮発性の半導体メモリ、磁気ディスク、フレキシブルディスク、光ディスク、コンパクトディスク、ミニディスク、ＤＶＤ（Digital  Versatile  Disk）等が該当する。
【００４３】
通信端末２の入力部２４は、キーボード、マウス、タッチパネル等である。表示部２５は、ディスプレイ、液晶パネルなどである。
【００４４】
通信端末２のシーケンス実行部２３およびデータ圧縮／伸長部２６は、処理回路により実現される。この処理回路は、専用のハードウェアである処理回路であってもよいし、プロセッサを備える制御回路であってもよい。専用のハードウェアである場合、処理回路は、例えば、単一回路、複合回路、プログラム化したプロセッサ、並列プログラム化したプロセッサ、ＡＳＩＣ（Application  Specific  Integrated  Circuit）、ＦＰＧＡ（Field  Programmable  Gate  Array）、またはこれらを組み合わせたものである。
【００４５】
シーケンス実行部２３およびデータ圧縮／伸長部２６を実現する処理回路がプロセッサを備える制御回路で実現される場合、この制御回路は例えば図６に示す構成の制御回路２００である。図６は、本実施の形態の制御回路２００の構成例を示す図である。制御回路２００は、プロセッサ２０１とメモリ２０２を備える。プロセッサは、ＣＰＵ（Central  Processing  Unit、中央処理装置、処理装置、演算装置、マイクロプロセッサ、マイクロコンピュータ、プロセッサ、ＤＳＰ（Digital  Signal  Processor）ともいう）等である。記憶部２１を実現するメモリは、メモリ２０２に含まれていてもよい。
【００４６】
シーケンス実行部２３およびデータ圧縮／伸長部２６を実現する処理回路がプロセッサを備える制御回路２００である場合、プロセッサ２０１が、メモリ２０２に記憶されたシーケンス実行部２３およびデータ圧縮／伸長部２６の処理が記述されたプログラムを読み出して実行することにより実現される。また、メモリ２０２は、プロセッサ２０１が実施する各処理における一時メモリとしても使用される。
【００４７】
サーバ３のデータ圧縮／伸長部３２、試運転シーケンス生成部３４および試運転データ解析部３５は、処理回路により実現される。この処理回路は、専用のハードウェアである処理回路であってもよいし、プロセッサを備える制御回路であってもよい。専用のハードウェアである場合、処理回路は、例えば、単一回路、複合回路、プログラム化したプロセッサ、並列プログラム化したプロセッサ、ＡＳＩＣ、ＦＰＧＡ、またはこれらを組み合わせたものである。
【００４８】
サーバ３のデータ圧縮／伸長部３２、試運転シーケンス生成部３４および試運転データ解析部３５を実現する処理回路がプロセッサを備える制御回路で実現される場合、この制御回路は例えば図６に示す構成の制御回路２００である。
【００４９】
データ圧縮／伸長部３２、試運転シーケンス生成部３４および試運転データ解析部３５を実現する処理回路がプロセッサを備える制御回路２００である場合、プロセッサ２０１が、メモリ２０２に記憶されたデータ圧縮／伸長部３２、試運転シーケンス生成部３４および試運転データ解析部３５の処理が記述されたプログラムを読み出して実行することにより実現される。また、メモリ２０２は、プロセッサ２０１が実施する各処理における一時メモリとしても使用される。
【００５０】
以上のように、本実施の形態の空調監視システム１００では、空調システムの構成情報に基づいてサーバ３が試運転シーケンスを自動的に生成して、通信端末２が試運転シーケンスを実行するようにした。このため、作業者が構成情報を収集して試運転の計画を策定して試運転を実施する場合に比べ、作業者の作業に要する工数を削減できるとともに、作業者により誤った試運転が実施されることも防止することができる。また、作業者は、シーケンス生成アルゴリズムを所望の内容に設定しておくことで、各コマンドを実行するタイミングを指定することができる。このため、作業者が即時試運転を実施してその場で結果を確認したいケース、別の場所で試運転の結果を確認したいケース、など様々な状況に応じて適切なタイミングで試運転を実施することができるため、作業の効率化が見込めるとともに、作業終了時間の目安を知ることができる。
【００５１】
また、作業者は、通信端末２に表示された試運転結果を確認することにより、試運転実施後に即時に試運転の結果を知ることができる。また、試運転結果に異常の要因の候補を示す情報を含めておくことにより、試運転結果が異常であった場合に、作業者の異常要因の特定を支援することができる。また、試運転結果をサーバ３に集約しているため、どの作業者も容易に、過去の試運転結果を参照することができる。これにより、以降のメンテナンス作業を、試運転を実施した作業者と異なる作業者が実施する場合にも、メンテナンス作業において試運転結果を参照することができ、メンテナンス作業の効率化が見込める。
【００５２】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５３】
１  空調システム、２  通信端末、３  サーバ、４−１〜４−ｎ  空気調和機、５  空調ネットワーク、６  広域ネットワーク、２１，３３  記憶部、２２，４２  空調ネットワーク接続部、２３  シーケンス実行部、２４  入力部、２５  表示部、２６，３２  データ圧縮／伸長部、２７，３１  広域ネットワーク接続部、３４  試運転シーケンス生成部、３５  試運転データ解析部、４１  構成情報記憶部、１００  空調監視システム。
【図１】
0006685426.tif 000002
【図２】
0006685426.tif 000003
【図３】
0006685426.tif 000004
【図４】
0006685426.tif 000005
【図５】
0006685426.tif 000006
【図６】
0006685426.tif 000007